(57)【要約】【課題】断熱性能に優れた網戸ユニットを提供する。【解決手段】室内外方向における一方側に配置される金属製枠材と室内外方向における他方側に配置される合成樹脂製枠材とが組み合わされている複数の枠材が枠組みされている窓枠に対して前記合成樹脂製枠材のみと接触する状態で前記窓枠に設けられている金属製のアタッチメントと、前記アタッチメントを介して取り付けられている網戸と、を有する。【選択図】図２
2018003272.tif 000002
【特許請求の範囲】
【請求項１】
室内外方向における一方側に配置される金属製枠材と室内外方向における他方側に配置される合成樹脂製枠材とが組み合わされている複数の枠材が枠組みされている窓枠に対して前記合成樹脂製枠材のみと接触する状態で前記窓枠に設けられている金属製のアタッチメントと、
前記アタッチメントを介して取り付けられている網戸と、
を有することを特徴とする網戸ユニット。
【請求項２】
請求項１に記載の網戸ユニットであって、
前記アタッチメントは、前記窓枠を形成し左右に配置され上下方向に沿って設けられている２つの前記枠材のうちのいずれか一方に設けられており、
前記網戸は、左右方向における一方側が前記アタッチメントに係止され、前記アタッチメントに係止された状態で、左右方向における他方側が前記合成樹脂製枠材とともに躯体に固定されていることを特徴とする網戸ユニット。
【請求項３】
請求項２に記載の網戸ユニットであって、
前記アタッチメントと、前記網戸の左右方向における前記他方側の部位とは、前記合成樹脂製枠材の室内外方向における前記一方側に当接される当接部を有していることを特徴とする網戸ユニット。
【請求項４】
請求項１乃至請求項３のいずれかに記載の網戸ユニットであって、
前記網戸は、網材を巻き取り及び繰り出し可能な網材ボックスと、
前記網材ボックスから引き出された前記網材の先端が係止される係止枠と、
を有し、
前記網材ボックス側が前記アタッチメントに係止され、前記係止枠側が固定されていることを特徴とする網戸ユニット。
【請求項５】
請求項１に記載の網戸ユニットであって、
前記網戸は、室内外方向における前記一方側に向かって突出する嵌合片を有し、
前記アタッチメントは、室内外方向における前記他方側に臨む部位に前記嵌合片が嵌合される被嵌合部を有していることを特徴とする網戸ユニット。
【発明の詳細な説明】
【技術分野】
【０００１】
本発明は、窓枠に設けられる網戸ユニットに関する。
【背景技術】
【０００２】
窓枠に設けられる網戸ユニットとしては、網体を巻き入れ巻き出し可能に収納した収納枠を有するロール網戸が、窓枠又は窓額縁の室内側内面に設けられた合成樹脂形材製のアングル部材を介して取付けられているロール網戸が知られている（例えば、特許文献１参照）。このロール網戸において収納枠とともに窓枠に取り付けられる枠材は、アルミニウム合金の押出形材からなっており、金属製の窓枠に合成樹脂形材製のアングル部材を介してビス止めされている。
【先行技術文献】
【特許文献】
【０００３】
【特許文献１】特許第４８２３６０８号公報
【発明の概要】
【発明が解決しようとする課題】
【０００４】
上記のロール網戸は、アルミニウム合金製のロール網戸が金属製の窓枠にビスにより固定されているので、窓枠の室外側の部位からビスを介して室内側の網戸ユニットに熱が伝わるため断熱性が損なわれる虞がある。
本発明は、かかる課題に鑑みてなされたものであり、その目的とするところは、断熱性能に優れた網戸ユニットを提供することにある。
【課題を解決するための手段】
【０００５】
かかる目的を達成するために本発明の網戸ユニットは、室内外方向における一方側に配置される金属製枠材と室内外方向における他方側に配置される合成樹脂製枠材とが組み合わされている複数の枠材が枠組みされている窓枠に対して前記合成樹脂製枠材のみと接触する状態で前記窓枠に設けられている金属製のアタッチメントと、前記アタッチメントを介して取り付けられている網戸と、を有することを特徴とする網戸ユニットである。
【０００６】
このような網戸ユニットによれば、窓枠に対しては、合成樹脂製枠材のみと接触する状態で窓枠に設けられている金属製のアタッチメントを介して網戸が取り付けられているので、網戸及びアタッチメントと窓枠の金属製枠材との間には、合成樹脂製枠材が介在されている。このため、室内外の境界部に設けられる網戸と金属製枠材との間では熱が伝わり難い。このため、断熱性能に優れた網戸ユニットを提供することが可能である。
【０００７】
かかる網戸ユニットであって、前記アタッチメントは、前記窓枠を形成し左右に配置され上下方向に沿って設けられている２つの前記枠材のうちのいずれか一方に設けられており、前記網戸は、左右方向における一方側が前記アタッチメントに係止され、前記アタッチメントに係止された状態で、左右方向における他方側が前記合成樹脂製枠材とともに躯体に固定されていることが望ましい。
【０００８】
このような網戸ユニットによれば、網戸の左右方向における一方側をアタッチメントに係止し、左右方向における他方側を躯体に固定することにより容易に取り付けることが可能である。このとき、網戸は、窓枠の合成樹脂製枠材により金属製枠材と熱的に縁切りされているので、断熱性を確保することが可能である。
【０００９】
かかる網戸ユニットであって、前記アタッチメントと、前記網戸の左右方向における前記他方側の部位とは、前記合成樹脂製枠材の室内外方向における前記一方側に当接される当接部を有していることが望ましい。
【００１０】
このような網戸ユニットによれば、室内側方向における他方側に位置する網戸は、アタッチメントと網戸の左右方向における他方側の部位とが、合成樹脂製枠材の室内外方向における一方側に当接部が当接されるので、室内外方向において網戸を容易に位置決めすることが可能である。
【００１１】
かかる網戸ユニットであって、前記網戸は、網材を巻き取り可能な網材ボックスと、  前記網材ボックスから引き出された前記網材の先端が係止される係止枠と、を有し、前記網材ボックス側が前記アタッチメントに係止され、前記係止枠側が固定されていることが望ましい。
【００１２】
網材が巻き取り可能な網材ボックスは係止枠より大きいため、取り付け時に窓枠との間にて視界を遮る虞がある。このため上記の網戸ユニットによれば、取り付ける窓枠が視認し難い網材ボックス側をアタッチメントに係止し、視認しやすい係止枠側にて固定することにより網戸を容易に取り付けることが可能である。
【００１３】
かかる網戸ユニットであって、前記網戸は、室内外方向における前記一方側に向かって突出する嵌合片を有し、前記アタッチメントは、室内外方向における前記他方側に臨む部位に前記嵌合片が嵌合される被嵌合部を有していることとしてもよい。
【００１４】
このような網戸ユニットによれば、網戸を室内外方向における一方側に向かって押圧し、嵌合片をアタッチメントが有する被嵌合部に嵌合するだけで、網戸を容易に取り付けることが可能である。
【発明の効果】
【００１５】
本発明によれば、断熱性能に優れた網戸ユニットを提供することが可能である。
【図面の簡単な説明】
【００１６】
【図１】本実施形態に係る網戸ユニットを示す縦断面図である。
【図２】本実施形態に係る網戸ユニットを示す横断面図である。
【図３】図２におけるＡ部の拡大図である。
【図４】図２におけるＢ部の拡大図である。
【図５】嵌合して取り付けられるアタッチメントを示す横断面図である。
【図６】ビスにより押圧されて取り付けられる網戸ユニットを示す横断面図である。
【図７】嵌合により網戸が取り付けられる網戸ユニットを示す横断面図である。
【発明を実施するための形態】
【００１７】
以下、本発明の一実施形態に係る網戸ユニットについて図面を参照して説明する。
本実施形態の網戸ユニット１は、例えば、図１、図２に示すような開閉自在な障子３を備え、建物等に設けられた窓枠２に取り付けられている。本実施形態においては、網材１１が巻き取り及び繰り出し可能に収納された網材ボックス１２から網材１１を引き出して、網材１１の先端に設けられている網材框１１ａが係止枠１３に係止されることにより室内外が網材１１で仕切られる横引きロール網戸（以下、網戸という）１０を備えた網戸ユニット１を例に挙げて説明する。
【００１８】
以下の説明においては、窓枠２に設けられている状態の網戸ユニット１を室内側から見たときに、上下となる方向を上下方向、左右となる方向を左右方向、室内外方向である奥行き方向を見込み方向として示す。網戸ユニット１の各部位であっても、また、網戸ユニット１を構成する各部材については単体の状態であっても、窓枠２に取り付けられた状態にて上下方向、左右方向、見込み方向となる方向にて方向を特定して説明する。
【００１９】
窓枠２は、障子３の上に位置する上枠２１と下に位置する下枠２２と、左側に位置する左縦枠２３と、右に位置する右縦枠２４とが枠組みされて形成されている。上枠２１、下枠２２、左縦枠２３及び右縦枠２４は、いずれも室外側に位置しアルミニウム製の外枠材２１１、２２１、２３１、２４１と、室内側に位置し合成樹脂製の内枠材２１２、２２２、２３２、２４２とを有している。上枠２１、下枠２２、左縦枠２３及び右縦枠２４はいずれも、窓枠２を構成する枠部材であり、外枠材２１１、２２１、２３１、２４１の室内側の部位と、内枠材２１２、２２２、２３２、２４２の室外側の部位とが結合されて一体化されている。
【００２０】
窓枠２は、枠組みされた状態で外周側に、四方に突出されている躯体固定部２１１ｃ、２２１ｃ、２３１ｃ、２４１ｃが室外側から躯体６にビス止めされている。ここで、室外側が室内外方向における一方側に相当し、外枠材２１１、２２１、２３１、２４１が金属製枠材に相当する。また、室内側が室内外方向における他方側に相当し、内枠材２１２、２２２、２３２、２４２が合成樹脂製枠材に相当する。
【００２１】
左縦枠２３と右縦枠２４とは、左右が反転された同一の横断面形状をなしている。このため、左縦枠２３と右縦枠２４の構成を、左縦枠２３を例に挙げて説明し、以下の説明では、右縦枠２４の共通する部位に、右縦枠を示す「２４」に同一の部位に付されているアルファベットを付して示すものとする。また、左右方向については、左縦枠２３と右縦枠２４において同一の表現となるように、左縦枠２３の右側を窓枠２の内周側（以下、単に内周側という）、左縦枠２３の左側を窓枠２の外周側(以下、単に外周側という)として説明する。
【００２２】
左縦枠２３は、前述したように、室外側に位置するアルミニウム製の外枠材２３１と、室内側に位置する合成樹脂製の内枠材２３２と、を有している。アルミニウム製の外枠材２３１と、合成樹脂製の内枠材２３２とは、いずれも上下方向を押出方向とする押出成形部材である。
【００２３】
外枠材２３１は、図２、図３に示すように、見込み方向に沿う壁面をなす見込壁部２３１ａと、見込壁部２３１ａから内周側に突出し閉じた障子３の室内側の面が当接される２つの障子当接部２３１ｂと、見込壁部２３１ａから外周側に突出されている躯体固定部２３１ｃと、見込壁部２３１ａの室内側の端から内周側に突出された突起２３１ｄと、突起２３１ｄの僅かに室外側にて内周側に突出され突起２３１ｄより長く延出されている内周延出片２３１ｅと、見込壁部２３１ａの室内側の端から外周側に突出されて突起２３１ｄと繋がる外周突出部２３１ｆと、を有している。外枠材２３１の突起２３１ｄ及び外周突出部２３１ｆは、突起２３１ｄ及び外周突出部２３１ｆにて形成された平面が室内側に設けられている額縁４の室外側の端面４ａが対向している。また、内周延出片２３１ｅの先端側には室内側に窪む先端凹部２３１ｇが設けられている。
【００２４】
内枠材２３２は、額縁４の、見込み方向に沿う内周面４ｂと対向する額縁対向壁部２３２ａと、額縁対向壁部３２ａの室外側の端に設けられ外枠材２３１の先端凹部２３１ｇと係合する先端係合部２３２ｂと、先端係合部２３２ｂの僅かに室内側にて外周側に突出され先端係合部２３２ｂより長く延出された外周延出片２３２ｃと、を有している。
【００２５】
左縦枠２３は、内枠材２３２の外周延出片２３２ｃが、外枠材２３１の突起２３１ｄと内周延出片２３１ｅとの間に、また、外枠材２３１の外周突出部２３１ｅが、内枠材２３２の先端係合部２３２ｂと外周延出片２３２ｃとの間に、それぞれ入り込むとともに、先端係合部２３２ｂが先端凹部２３１ｇと係合している状態でかしめられて一体化されている。
【００２６】
網戸ユニット１は、網戸１０と、網戸１０を窓枠２に取り付けるためのアタッチメント５とを有している。
網戸１０は、網材１１と、左右方向における一方側、本実施形態では左側に配置されて網材１１が巻き付けられて収納されている網材ボックス１２と、左右方向における他方側となる右側に配置され繰り出された網材１１に設けられた網材框１１ａが係止される係止枠１３と、網材ボックス１２と係止枠１３との上下の端部同士を連結し、網材１１の上下の端部が収容されて案内される上レール材１４（図１）及び下レール材１５(図１)と、を有している。
【００２７】
網戸１０は、網材１１の上下の端部が上レール材１４及び下レール材１５に案内されつつ網材ボックス１２から繰り出され、網材框１１ａが係止枠１３に係止されることにより、網材ボックス１２、係止枠１３、上レール材１４及び下レール材１５により形成されている矩形状の開口１０ａが覆われるように構成されている。
【００２８】
網戸１０は、網材ボックス１２が左縦枠２３の内枠材２３２のみに接触している状態のアタッチメント５に係止され、係止枠１３が右縦枠２４の内枠材２４２とともに額縁４及び躯体６にビス止めされている。
【００２９】
このため、網材ボックス１２の室外に臨む室外面１２ａには、網材ボックス１２の左の端部側に位置させて室外側に突出する室外突出部１２ｂと、室外突出部１２ｂの先端側から右方向に延出されてアタッチメント５に係止される係止片１２ｃと、が上下方向におけるほぼ全長に渡って設けられている。また、網戸１０の右側に位置する係止枠１３には、図４に示すように、網材框１１ａが係止される部位より室外側に延出された係止枠延出部１３ａが上下方向におけるほぼ全長に渡って設けられており、係止枠延出部１３ａの室外側の端部には、右側に延出されて、右縦枠２４の先端係合部２３２ｂにおける室外側の面に室外側から当接される右内枠当接部１３ｂが設けられている。
【００３０】
アタッチメント５は、図３に示すように、上下方向を押出方向とする押出成形部材であり、内枠材２３２の額縁対向壁部２３２ａと内周側にて対向する内枠対向壁部５ａと、内枠対向壁部５ａの室外側の端から外周側に延出されて、内枠材２３２の先端係合部２３２ｂにおける室外側の面に室外側から当接される内枠当接部５ｂと、内枠対向壁部５ａから内周側に突出させて設けられ、網戸１０の網材ボックス１２が係止されるフック部５ｃと、を有している。
【００３１】
フック部５ｃは、左右方向に沿う縦壁部５ｄと、縦壁部５ｄの内周側の先端部に外周側に向かって開放されて内周側に窪む溝５ｅを形成するフック片５ｆと、を有している。フック片５ｆの室外側の面は、溝５ｅの見込み方向の幅が、溝５ｅの奥に向かって狭くなるようにテーパー状をなしている。また、フック片５ｆの先端と内枠対向壁部５ａとの間隔は、網材ボックス１２の外周側の端部と係止片１２ｃの先端までの距離より広く形成されている。
【００３２】
躯体６に取り付けられている窓枠２に網戸１０を取り付ける場合には、まず、アタッチメント５を左縦枠２３の内枠材２３２に取り付ける。このとき、アタッチメント５の内枠当接部５ｂを、左縦枠２３の先端係合部２３２ｂに室外側から当接させて位置決めし、額縁対向壁部２３２ａと左右方向において重なっている内枠対向壁部５ａの、フック部５ｃより室内側にて、額縁対向壁部２３２ａとともにビス７にて額縁４及び躯体６に固定する。このとき、内枠対向壁部５ａを両面テープにより額縁対向壁部２３２ａに貼着して仮止めしておけば、ビス止めする際にアタッチメント５を支える必要がないので、アタッチメント５を容易に取り付けることが可能である。また、アタッチメント５をビス止めする際には、内枠対向壁部５ａのビス７が螺合される部位が、フック片５ｆにより遮られることなく目視できるので、容易にビス止めすることが可能である。
【００３３】
次に、網戸１０の上端側が下端側より室外側に位置するように網戸１０を傾斜させつつ、アタッチメント５が取り付けられている窓枠２内に移動し、上レール材１４を、上枠２１の内枠材２１２との間に介在される、例えばスポンジなどの発泡性部材１６を上方に圧縮する。このとき、左右方向において、網材ボックス１２の係止片１２ｃが、アタッチメント５の内枠対向壁部５ａとフック片５ｆの先端との間に位置し、係止枠１３の右内枠当接部１３ｂが右縦枠２４の内枠材２４２より左側に位置するように網戸１０を配置しておく。
【００３４】
次に、上レール材１４により発泡性部材１６を上方に圧縮した状態で、網戸１０の下端側を室外側に移動する。これにより、網材ボックス１２の係止片１２ｃがアタッチメント５の溝５ｅの左側にて縦壁部５ｄとフック片５ｆとの間に配置され、係止枠１３の右内枠当接部１３ｂが右縦枠２４の内枠材２４２より室外側に配置される。
【００３５】
次に、網戸１０を右方向に移動することにより、網戸１０の係止片１２ｃがフック片５ｆの室外側の面に沿って摺動させ、右内枠当接部１３ｂが右縦枠２４の内枠材２４２の先端係合部２４２ｂと対向する位置に配置される。
【００３６】
次に、網戸１０を室内側に引き寄せて、右内枠当接部１３ｂを右縦枠２４の内枠材２４２における先端係合部２４２ｂに当接させて位置決めし、係止枠１３の係止枠延出部１３ａを、左右方向において重なっている額縁対向壁部２４２ａとともにビス８にて額縁４及び躯体６に固定する。このとき、アタッチメント５と同様に、係止枠延出部１３ａを両面テープにより額縁対向壁部２４２ａに貼着して係止枠１３を仮止めしておけば、係止枠１３を容易に取り付けることが可能である。
【００３７】
本実施形態の網戸ユニット１によれば、網戸１０は、窓枠２の左縦枠２３に対して内枠材２３２のみと接触する状態で窓枠２に設けられている金属製のアタッチメント５を介して取り付けられているので、網戸１０及びアタッチメント５と窓枠２の左縦枠２３が有するアルミニウム製の外枠材２３１との間には、内枠材２３２が介在されている。このため、室内外の境界部に設けられる網戸１０とアルミニウム製の外枠材２３１との間では熱が伝わり難い。このため、断熱性能に優れた網戸ユニット１を提供することが可能である。
【００３８】
このとき、網戸１０の左右方向における左側をアタッチメント５に係止し、左右方向における右側を額縁４及び躯体６にビス８により固定することにより容易に取り付けることが可能である。このとき、網戸１０は、窓枠２の合成樹脂製の内枠材２３２、２４２により金属製の外枠材２３１、２４１と熱的に縁切りされているので、より高い断熱性を確保することが可能である。また、窓枠２が取り付けられている状態で室内側から容易に取り付けられるので、例えば、既設の窓枠であっても、網戸１０を取り付けることが可能である。
【００３９】
また、網材１１が収容されている網材ボックス１２は係止枠１３より幅、厚みともに大きいため、取り付け時に窓枠２との間にて視界を遮る虞がある。このため、網戸１０において、当該網戸１０を取り付ける窓枠２が視認し難い網材ボックス１２側をアタッチメント５に係止することとし、視認しやすい係止枠１３側をビス８により固定することにより施工性に優れた網戸ユニット１を提供することが可能である。
【００４０】
また、室内側に位置する網戸１０は、アタッチメント５と右内枠当接部１３ｂとが、合合成樹脂製の内枠材２３２、２４２の室外側に設けられた先端係合部２３２ｂ、２４２ｂに当接されるので、室内外方向において網戸１０を容易に位置決めすることが可能である。このため、より施工性に優れた網戸ユニット１を提供することが可能である。
【００４１】
上記実施形態においては、アタッチメント５が合成樹脂製の内枠材２３２、２４２とともに額縁４及び躯体６にビス７により固定されている例について説明したが、これに限らず、図５に示すように、アタッチメント５１は合成樹脂製の内枠材２３３のみと接触する状態で嵌合されていても構わない。
【００４２】
上記実施形態においては、アタッチメント５に対して網戸１０が係止される例について説明したが、これに限るものではない。例えば、図６に示すように、外周側に向かって進入するビス９により網材ボックス１２を外周側に押し付けて取り付ける形態であっても構わない。より具体的には、本実施形態のアタッチメント５２が、内枠材２３２の額縁対向壁部２３２ａと内周側にて対向する内枠対向壁部５２ａと、内枠対向壁部５２ａの室外側の端から外周側に延出されて、内枠材２３２の先端係合部２３２ｂにおける室外側の面に室外側から当接される内枠当接部５２ｂと、を有していることは上記アタッチメント５と同様である。
【００４３】
アタッチメント５２は、内枠対向壁部５２ａと左右方向に間隔を空けて対向するビス螺合部５２ｃを有し、ビス螺合部５２ｃは室外側の縁が、内枠対向壁部５２ａの外周側の部位と連結部５２ｄにより連結されている。また、内枠対向壁部５２ａの室内側にわずかに間隔を空けて内周側に突出する内周突起５２ｅが設けられ、内枠対向壁部５２ａの内周突起５２ｅより室内側には、外周側に向かって額縁４及び躯体６に螺合されるビス７が螺合可能な領域が設けられている。
【００４４】
一方、網材ボックス１２の室外に臨む室外面１２ａには、網材ボックス１２の左の端部側に位置させて室外側に突出された室外突出部１２ｂの室外側の端部が外周側に延出された外周延出部１２ｄが設けられている。ここで、室外突出部１２ｂの室外面１２ａより室外側に突出している長さと、ビス螺合部５２ｃが連結部５２ｄより室内側に突出している長さとはほぼ同じに形成されている。
【００４５】
この網戸ユニット１を窓枠２に取り付ける場合には、まず、アタッチメント５の内枠当接部５ｂを、左縦枠２３の先端係合部２３２ｂに当接させて位置決めし、内枠対向壁部５２ａを、内周突起５２ｅより室内側にて額縁対向壁部２３２ａとともにビス７により額縁４及び躯体６に固定する。
【００４６】
次に、網戸１０の上端側が下端側より室外側に位置するように網戸１０を傾斜させつつ移動し、上レール材１４により内枠材２１２との間に介在させる発泡性部材１６を上方に圧縮する。このとき、左右方向において、網材ボックス１２の外周延出部１２ｄが、アタッチメント５２の内枠対向壁部５２ａとビス螺合部５２ｃとの間に位置し、係止枠１３の右内枠当接部１３ｂが右縦枠２４の内枠材２４２より左側に位置するように網戸１０を配置しておく。
【００４７】
次に、上レール材１４が発泡性部材１６を上方に圧縮している状態で、網戸１０の下端側を室外側に移動し、更に網戸１０を右方向に移動させて、図４に示すように、右内枠当接部１３ｂを右縦枠２４の先端係合部２４２ｂに当接させて位置決めする。そして係止枠１３の係止枠延出部１３ａを、左右方向において重なっている額縁対向壁部２３２ａとともにビス８にて額縁４及び躯体６に固定する。このとき、網材ボックス１２の外周延出部１２ｄが、アタッチメント５２のビス螺合部５２ｃと左右方向において対向している。
【００４８】
次に、ビス螺合部５２ｃにビス９を外周側に向かって、すなわち外周延出部１２ｄ側に向かって螺合し、外周延出部１２ｄを外周側に押圧することにより網戸１０を取り付ける。
【００４９】
本実施形態の網戸ユニット１によれば、網戸１０の左右側の一方をビス止めし、他方を外周側に向かってビス９により押圧するだけで、網戸１０を容易に取り付けることが可能である。
【００５０】
上記実施形態においては、網材１１が案内される上レール材１４及び下レール材１５が左右方向に沿って配置された横引きタイプの網戸１０を例に挙げて説明したが、レール材が上下方向に沿って左右にそれぞれ設けられている上げ下げタイプの網戸、または、框の内周側に網材が張られた扉を有する網戸であっても構わない。
【００５１】
また、上記実施形態においては、網戸１０の左右方向における一方側をアタッチメント５に係止し、他方側を額縁４及び躯体６にビス止めする例について説明したが、これに限るものではない。例えば、図７に示すように、網戸１０の左右に配置されるレール材１７に室外側に向かって突出させて嵌合片１７ａを設け、左縦枠２３及び右縦枠２４の内枠材２３２、２４２のいずれにも、室内に臨む面に嵌合片１７ａが嵌合される被嵌合部５３ａを備えたアタッチメント５３を設けておき、レール材１７の嵌合片１７ａをアタッチメント５３の被嵌合部５３ａに嵌合させて網戸１０が取り付けられる形態であっても構わない。
【００５２】
上記実施形態においては、室外側にアルミニウム製の外枠材２１１、２２１、２３１、２４１が位置し、室内側に合成樹脂製の内枠材２１２、２２２、２３２、２４２が位置する例について説明したが、室外側に合成樹脂製の枠材が位置し、室内側に金属製の枠材が設けられていても構わない。
【００５３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５４】
１  網戸ユニット、２  窓枠、３  障子、４  額縁、５  アタッチメント、
５ｂ  内枠当接部、６  躯体、１０  網戸、１１  網材、１２  網戸ボックス、
１３  係止枠、１３ｂ  右内枠当接部、１７  レール材、１７ａ  嵌合片、
２１  上枠、２２  下枠、２３  左縦枠、２４  右縦枠、５１  アタッチメント、
５２  アタッチメント、５３  アタッチメント、５３ａ  被嵌合部、
２１１  外枠部材、２２１外枠部材、２３１  外枠部材、２４１  外枠部材、
２１２  内枠部材、２２２  内枠部材、２３２  内枠部材、２４２  内枠部材、
【図１】
2018003272.tif 000003
【図２】
2018003272.tif 000004
【図３】
2018003272.tif 000005
【図４】
2018003272.tif 000006
【図５】
2018003272.tif 000007
【図６】
2018003272.tif 000008
【図７】
2018003272.tif 000009